(57)【特許請求の範囲】
【請求項１】
内部が中央通路と外周通路に分割形成され且つ上記中央通路に連通する接続管と上記外周通路に連通する接続管とを接続してなる浴槽取付金具と、この浴槽取付金具に連結でき且つ上記各通路に連通する通路を内部に形成してなる浴槽挟着具と、この浴槽挟着具の通路内に挿入して上記浴槽取付金具の中央通路に連通するように嵌合できる円筒部を形成すると共に、この円筒部の一端外周部に上記浴槽挟着具の通路を介して上記浴槽取付金具の外周通路に連通する通路を形成し、且つ湯水吐出口と湯水戻り口を形成してなる給湯通路分割具と、この給湯通路分割具の前面および外周面を被覆するようにして着脱自在に外嵌することができるフイルターキャップとからなる浴槽用給湯循環接続具において、上記給湯通路分割具の外周面の一部である下端と、この下端に対向するフイルターキャップの外周面の一部である下端とを平坦に形成するとともに、上記フイルターキャップの下端を開口形成し、このフイルターキャップを給湯通路分割具の上端側から下端側にかけて開口形成した下端から給湯通路分割具にスライドさせるようにして外嵌できるようにした構成を特徴とする浴槽用給湯循環接続具。
【請求項２】
給湯通路分割具が、浴槽挟着具の通路内に挿入して浴槽取付金具の中央通路に連通するように嵌合できる円筒部を有し、且つこの円筒部に連通して給湯通路分割具に開口した第１外部開口に導かれる第１通路を有すると共に、この第１通路の一部に湯水が滞留可能な第１トラップ通路部を有し、さらに、上記円筒部の外周部に浴槽挟着具の通路を介して浴槽取付金具の外周通路に連通する第２通路を有すると共に、この第２通路の一部に湯水が滞留可能な第２トラップ通路部を有し、且つこの第２トラップ通路部が給湯通路分割具に開口した第２外部開口に導かれるようにした構成を特徴とする請求項１記載の浴槽用給湯循環接続具。
【発明の詳細な説明】
【０００１】
【発明の属する技術分野】
本発明は、浴槽と風呂釜とを接続して湯水を強制循環させるのに使用される浴槽用給湯循環接続具に関するものである。
【０００２】
【従来の技術】
一般に浴槽は、風呂釜と接続具を介して接続されている。この接続具には、湯水往路用通路と湯水戻り路用通路が形成され、風呂釜側に設けられた循環ポンプを作動させて浴槽内の湯水を接続具の戻り路用通路から風呂釜側に戻すと共に、この風呂釜側に戻された湯水は風呂釜によって加熱され循環ポンプによって接続具の往路用通路を介して浴槽内に吐出されている。上記のように循環ポンプによって湯水は浴槽と風呂釜との間を接続具を介して強制循環されている。
【０００３】
上記のように湯水を強制的に循環させるための接続具としては、例えば実開平５ー１９８５９号公報に記載のような接続具など、従来から種々のものが開発されている。
【０００４】
【発明が解決しようとする課題】
しかしながら、従来の種々の接続具は、接続具本体もフィルターキャップも共に全体形状が円形状であり、それぞれの外周部に係合部が複数形成されていた。
【０００５】
そのため、上記の接続具本体にフイルターキャップを取り付ける場合は、その都度、接続具本体の係合部の位置とフイルターキャップの係合部の位置とを確認しながら嵌め合わせなければならなかったため、その係合作業に手間取るといった問題があった。そのため従来からフイルターキャップを簡単に且つ迅速に接続具本体に取り付けられるような接続具の開発が望まれていた。
【０００６】
本発明は上記のような問題点を解決するために開発されたものであり、その目的とするところは、フイルターキャップの取り付けを簡単に且つ迅速に行うことができるようにすると共に、呼び水としての湯水を内部に一時的に滞留させる機能も有している浴槽用給湯循環接続具を提供することにある。
【０００７】
【課題を解決するための手段】
そこで、本発明は上記目的を有効に達成するために、次のような構成にしてある。すなわち、請求項１記載の本発明の浴槽用給湯循環接続具は、内部が中央通路と外周通路に分割形成され且つ上記中央通路に連通する接続管と上記外周通路に連通する接続管とを接続してなる浴槽取付金具と、この浴槽取付金具に連結でき且つ上記各通路に連通する通路を内部に形成してなる浴槽挟着具と、この浴槽挟着具の通路内に挿入して上記浴槽取付金具の中央通路に連通するように嵌合できる円筒部を形成すると共に、この円筒部の一端外周部に上記浴槽挟着具の通路を介して上記浴槽取付金具の外周通路に連通する通路を形成し、且つ湯水吐出口と湯水戻り口を形成してなる給湯通路分割具と、この給湯通路分割具の前面および外周面を被覆するようにして着脱自在に外嵌することができるフイルターキャップとからなる浴槽用給湯循環接続具において、上記給湯通路分割具の外周面の一部である下端と、この下端に対向するフイルターキャップの外周面の一部である下端とを平坦に形成するとともに、上記フイルターキャップの下端を開口形成し、このフイルターキャップを給湯通路分割具の上端側から下端側にかけて開口形成した下端から給湯通路分割具にスライドさせるようにして外嵌できるようにした構成にしてある。
【０００８】
また、請求項２記載の本発明の浴槽用給湯循環接続具は、請求項１の構成において、給湯通路分割具の構成を次のようにしてある。すなわち、給湯通路分割具が、浴槽挟着具の通路内に挿入して浴槽取付金具の中央通路に連通するように嵌合できる円筒部を有し、且つこの円筒部に連通して給湯通路分割具に開口した第１外部開口に導かれる第１通路を有すると共に、この第１通路の一部に湯水が滞留可能な第１トラップ通路部を有し、さらに、上記円筒部の外周部に浴槽挟着具の通路を介して浴槽取付金具の外周通路に連通する第２通路を有すると共に、この第２通路の一部に湯水が滞留可能な第２トラップ通路部を有し、且つこの第２トラップ通路部が給湯通路分割具に開口した第２外部開口に導かれるようにした形成してある。
【０００９】
【発明の実施の形態】
本発明の実施の形態を添付の図１〜図１１に基づいて説明する。図１は本発明に係る一実施例の浴槽用給湯循環接続具の分解斜視図であって、この浴槽用給湯循環接続具１は、浴槽取付金具２およびパッキン２ａと、浴槽挟着具３と、給湯通路分割具４と、フイルターキャップ５とによって構成されている。
【００１０】
浴槽取付金具２は、一端を開口してなる有底円筒状のものであって、開口端７にはフランジ８が形成してある。
【００１１】
また、この開口端７寄りの内周面には、浴槽挟着具３と螺着できるようにネジ溝９が形成してある。この中空なる浴槽取付金具２の中央部には円筒体１０が底部から一体的に形成してある。円筒体１０の先端１０ａは、浴槽取付金具２の開口端７とほぼ面一となるように形成してある。上記の円筒体１０によって浴槽取付金具２内は２つの内部空間に分割され、上記中央通路６ａが円筒体１０内に、また外周通路６ｂが円筒体１０の外周にそれぞれ形成されている。
【００１２】
さらに、上記各通路６ａ、６ｂの位置する浴槽取付金具２の底部位置には、それぞれ穴（図示省略）が形成してある。この各穴を介して上記通路６ａ、６ｂに連通するようにして２つの接続管１１、１２が設けてある。接続管１１は中央通路６ａに連通し、接続管１２は外周通路６ｂに連通するようにしてある。また各接続管１１、１２の端部には、ネジ溝１３ａ、１３ｂが形成してある。
【００１３】
次に上記浴槽挟着具３（図１、図２参照）は、全体が合成樹脂によって形成され、上記浴槽取付金具２のネジ溝９と螺合できるように外周面にネジ溝１４を形成した筒体部１５と、この筒体部１５の一端に形成したフランジ部１６からなり、このフランジ部１６の外周面部には係止溝部１７が形成されている。上記筒体部１５の通路１８は、浴槽取付金具２の各通路６ａ、６ｂに臨み、後述する給湯通路分割具４をこの浴槽挟着具３に取り付けたとき、この浴槽挟着具３の通路１８は浴槽取付金具２の外周通路６ｂと連通する。
【００１４】
給湯通路分割具４（図１参照）は、通路分割部材１９と通路分割本体２０とからなり、通路分割部材１９と通路分割本体２０との内面同士を対峙させて結合し、後述する各々通路が構成されるように形成してある。
【００１５】
図１、図３および図１１に示すように上記の通路分割部材１９は、上記浴槽挟着具３の筒体部１５の通路１８に挿入して上記浴槽取付金具２の中央通路６ａと連通するように嵌合できる円筒部１９ａが中央に形成してある。さらに、本体部１９ｂの内面側には、上記円筒部１９ａに連通して第１外部開口１９ｃに導かれる第１通路１９ｄが形成されている。この第１通路１９ｄは、円筒部１９ａの中心から少し右上がりに傾斜した通路を形成した後に半円状の通路を形成して第１外部開口１９ｃに連通するように形成されている。この第１通路１９ｄにおいて湯水を一時滞留させることが可能な第１トラップ通路部１９ｅは、上記の円筒部１９ａの中心から少し右上がりに傾斜した通路から半円状の通路の入口部分までの通路域である。
【００１６】
また、上記円筒部１９ａの外周部には、上記浴槽挟着具３の通路１８を介して浴槽取付金具２の外周通路６ｂに連通する第２通路１９ｆが形成されている。この第２通路１９ｆは、仕切壁１９ｉによって上記第１通路１９ｄと分割形成され、仕切壁１９ｊによって閉塞された一端部１９ｋからは上記浴槽挟着具３の通路１８を介して浴槽取付金具２の外周通路６ｂに連通するようにしてある。
【００１７】
この第２通路１９ｆは、上記の一端部１９ｋから第１通路１９ｄに沿って小半円状に形成されてから下方に真っ直ぐに形成され、さらに半円状に形成されて第２外部開口１９ｇに連通するように形成されている。この第２通路１９ｆにおいて湯水を一時滞留させることが可能な第２トラップ通路部１９ｈは、上記の半円状に形成されて第２外部開口１９ｇに連通する手前の通路域である。
【００１８】
上記の第１外部開口１９ｃ、第２外部開口１９ｇは、下部近傍の左右両側から突出するように横断面半円状に形成されている。
【００１９】
一方、通路分割本体２０は、図１、図４〜図６に示すように円形状の外周の一部２０ａを平坦に形成し、この他の外周を外周壁２０ｂによって囲繞するように形成されている。外周壁２０ｂの外側には係止用の凸部２０ｃが複数箇所に形成されている。この凸部２０ｃは後述するフイルターキャップ５をこの通路分割本体２０に係止させるためのものである。この外周壁２０ｂの内側には一定の間隔を以て係止壁部２０ｄが図示のように複数箇所に形成されている。係止壁部２０ｄの先端部には内側に係止部２０ｅが形成されている。この係止壁部２０ｄの係止部２０ｅは、上記浴槽挟着具３の係止溝部１７に嵌合して、この通路分割本体２０を浴槽挟着具３と連結できるようにしてある。
【００２０】
上記の係止壁部２０ｄの内側には所定間隔を以て仕切壁１９ｉによって、上記して通路分割部材１９の内面に形成した各通路１９ｄ、１９ｆと同形の通路、並びに各開口１９ｃ、１９ｇと同形の開口が形成されている。尚、通路分割本体２０の各通路並びに開口等については、通路分割部材１９の各通路並びに開口等と同じ符号を付して説明を省略する。
【００２１】
上記の通路分割本体２０の内面に通路分割部材１９の内面を係合させることにより、給湯通路分割具４の第１通路１９ｄ、第２通路１９ｆ、第１外部開口１９ｃ、第２外部開口１９ｇが構成される。この第１外部開口１９ｃ、第２外部開口１９ｇは、湯水吐出口または湯水戻り口となる。
【００２２】
次に図７〜図１１に示すようにフイルターキャップ５は、金属部材によって形成されたフイルターカバー５ａと、合成樹脂によって形成されたキャップ本体５ｂと、フイルター部材５ｃと、２つの外部開口用フイルター５ｄとによって構成されている。
【００２３】
フイルターカバー５ａは、キャップ本体５ｂの外面５ｅ並びに外周面５ｆを被覆するように被着されている。このフイルターキャップ５は、外周の一部２０ａを平坦に形成し、上記の給湯通路分割具４に対して一方向（平坦な形状部分）から挿着できるように下端５ｉ側を開口形成してある。また、内面５ｈ側も開口形成してある。しかして、外周面部５ｊの左右の下端寄りには、上記給湯通路分割具４の第１外部開口１９ｃおよび第２外部開口１９ｇが位置する位置に長方形状の穴５ｅが形成されている。この各穴５ｋには、フイルター５ｄが着脱可能に設けられている。
【００２４】
上述のようにしてなる本発明の浴槽用給湯循環接続具（図１参照）にあっては、浴槽取付金具２のフランジ８を、浴槽Ａの貫通穴Ｂを穿設した側壁Ｃの外面に当接させると共に、側壁Ｃの内面側からパッキン２ａを介して浴槽挟着具３の筒体部１５のネジ溝１４を、上記浴槽取付金具２のネジ溝９にねじ込んで取り付ける。
【００２５】
次に通路分割本体２０の内面に通路分割部材１９の内面を対峙させて嵌合させて給湯通路分割具４を構成し、この給湯通路分割具４の通路分割部材１９の円筒部１９ａを、浴槽挟着具３の通路１８に挿通して浴槽取付金具２の円筒体１０内に嵌着する。さらに、給湯通路分割具４の上方からフィルターキャップ５をスライドさせるようにして給湯通路分割具４に外嵌する。
【００２６】
このようにして浴槽Ａの側壁Ｂに取り付けた浴槽取付金具２の接続管１１に、風呂釜側の循環ポンプ（図示せず）に接続した往路用管（図示せず）を接続し、浴槽取付金具２の接続管１２に風呂釜側の循環ポンプ（図示せず）に接続した戻り路用管を接続し、浴槽に水を満たし循環ポンプを作動せて水（または湯水）を循環させながら風呂釜（図示せず）で風呂（水）を焚く。
【００２７】
風呂釜（図示せず）で沸かされた湯水は、往路用管（図示せず）、浴槽取付金具２の接続管１１を介し、浴槽取付金具２の中央通路６ａから給湯通路分割具４の通路分割部材１９の円筒部１９ａ内を通り、第１通路１９ｄを通って第１外部開口１９ｃからフイルター５ｄを介して浴槽内に吐出される。
【００２８】
一方、浴槽内から風呂釜（図示せず）側に戻される戻り湯水は、フイルター５ｄを介して第２外部開口１９ｇから給湯通路分割具４の第２通路１９ｆに入り、この第２通路１９ｆから浴槽挟着具３の通路１８を介して浴槽取付金具２の外周通路６ｂに入り、この外周通路６ｂから接続管１２、戻り路用管（図示せず）を介して風呂釜（図示せず）側に戻される。
【００２９】
上記のように湯水は浴槽用給湯循環接続具１を介して浴槽内と風呂釜（図示せず）との間を循環する。
【００３０】
また、浴槽内の湯水を抜いた時、湯水は給湯通路分割具４の各通路から完全に湯水が抜けることがなく第１トラップ通路部１９ｅ（図４参照）、第２トラップ通路部１９ｈに溜まる。そのため、再び浴槽に湯水を満たして追い焚きをする場合に、風呂釜側の循環ポンプを作動させた時、上記各トラップ通路部１９ｅ、１９ｈに溜まった湯水が呼び水となって直ちに風呂釜側の循環ポンプ（図示せず）作動させることができる。
【００３１】
なお、上記した浴槽用給湯循環接続具の湯水の往路用通路と戻り路用通路とを逆にして使用してもよい。この場合は、上記した往路側と戻り路側の湯水の流れは逆になる。
【００３２】
【発明の効果】
このように請求項１記載の本発明の浴槽用給湯循環接続具では、給湯通路分割具に対してフイルターキャップを所定方向から嵌着できるように形成してあるため、給湯通路分割具にフイルターキャップに嵌着する場合にも、従来のように給湯通路分割具とフイルターキャップとの係合位置を慎重に合わせるといったことなく、誰にでも簡単に且つ迅速に嵌着することができる。したがって、浴槽用給湯循環接続具の取り付け施工時間の短縮に寄与することができる。
【００３３】
また、請求項２記載の本発明の浴槽用給湯循環接続具では、給湯通路分割具の湯水の往路に第１トラップ通路部（または第２トラップ通路部）を、戻り路に第１トラップ通路部（または第１トラップ通路部）を形成してあるので、浴槽内の湯水を抜いた時にも給湯通路分割具の上記各第１トラップ通路部、第２トラップ通路部には抜けることなく湯水が溜まり、再度、浴槽に湯水を満たして追い焚きをする場合に風呂釜側の循環ポンプを作動させた時にも、各トラップ通路部に溜まった湯水が呼び水となって直ちに循環ポンプを作動させることができ、効率良く風呂（水）を沸かすことができる。
【図面の簡単な説明】
【図１】本発明に係る浴槽用給湯循環接続具の分解斜視図である。
【図２】本発明に係る浴槽挟着具の正面図である。
【図３】本発明に係る通路分割部材の背面図である。
【図４】本発明に係る通路分割本体の正面図である。
【図５】本発明に係る浴槽挟着具と通路分割部材と通路分割本体とを組み合わせた状態の一部簡略側面図である。
【図６】図５の左側面図である。
【図７】本発明に係るフィルターキャップの一部切欠正面図である。
【図８】本発明に係るフィルターキャップの一部切欠底面図である。
【図９】本発明に係るフィルターキャップの背面図である。
【図１０】本発明に係るフィルターキャップの側面図である。
【図１１】本発明に係る浴槽挟着具と通路分割部材と通路分割本体とフィルターキャップとを組み合わせた状態の断面図である。
【符号の説明】
１     浴槽用給湯循環接続具、
２     浴槽取付金具
３     浴槽挟着具
４     給湯通路分割具
５     フイルターキャップ
６ａ   中央通路
６ｂ   外周通路
１０   円筒体
１１   接続管
１２   接続管
１９ｃ 第１外部開口
１９ｄ 第１通路
１９ｅ 第１トラップ通路部
１９ｆ 第２通路
１９ｇ 第２外部開口
１９ｈ 第２トラップ通路部
２０ａ 一部（平坦部分）
【図１】
0003662071.tif 000002
【図２】
0003662071.tif 000003
【図３】
0003662071.tif 000004
【図４】
0003662071.tif 000005
【図５】
0003662071.tif 000006
【図６】
0003662071.tif 000007
【図７】
0003662071.tif 000008
【図８】
0003662071.tif 000009
【図９】
0003662071.tif 000010
【図１０】
0003662071.tif 000011
【図１１】
0003662071.tif 000012